【事件の表示】
　特許第３０８７０４３号「パチンコ機制御ユニット」の請求項１及び２に係る特許に対する特許異議の申立てについて、次のとおり決定する。
【結　論】
　訂正を認める。
　特許第３０８７０４３号の請求項１に係る特許を維持する。
【理　由】
１．手続の経緯
　
　特許第３０８７０４３号の請求項１及び２に係る発明についての出願は、平成３年１２月４日に出願された特願平３−３４８０７６号の一部を平成１０年１２月４日に新たな特許出願とした特願平１０−３４５５５５号であって、平成１２年７月１４日にその発明について特許権の設定登録がなされ、その後、その特許について、異議申立人細江裕実より特許異議の申立てがなされ、取消しの理由が通知され、その指定期間内である平成１３年１１月２８日に訂正請求がなされたものである。
　
２．訂正の適否についての判断
　
２−１．訂正の内容
（１）訂正事項ａ
　特許請求の範囲「【請求項１】　装着されるカードの遊技情報を読み出しかつ書き込む機能を有するカードリードライタが接続されているカードユニット制御装置を備えるカードユニットと交信可能に接続されるパチンコ機制御装置を備えるパチンコ機制御ユニットにおいて、前記カードユニットからの遊技処理要求信号に始まる交信に基づき、貸出球を払出すよう制御するとともに、カードユニットのいずれかの箇所の異常状態を判定し、該異常状態を示すパチンコ機エラーＬＥＤがあることを特徴とするパチンコ機制御ユニット。
【請求項２】　前記遊技処理要求信号は、カードユニットレディ信号と球貸要求信号とから構成され、前記各信号の変化を検出して、異常状態を判定することを特徴とする請求項１記載のパチンコ機制御ユニット。」を、請求項２を削除し、
「【請求項１】装着されるカードの遊技情報を読み出しかつ書き込む機能を有するカードリードライタが接続されるとともに、カードユニットレディ信号及び球貸要求信号を発生するカードユニット制御装置を備えるカードユニットと交信可能に接続されるパチンコ機制御装置を備え、貸出スイッチの操作による前記カードユニットレディ信号の発生から、貸出球の払出しを要求する前記球貸要求信号の発生までが所定時間以内であったか否かに応じて、カードユニット側の異常状態を判定し、異常状態の場合に、球排出装置の動作準備完了状態を示すパチンコ機レディ信号を、異常検出を表すカードユニット側エラー信号として出力するパチンコ機制御ユニットにおいて、前記カードユニット制御装置からの前記カードユニットレディ信号及び球貸要求信号からなる遊技処理要求信号に始まる交信に基づき、貸出球を払出すよう制御するとともに、前記遊技処理要求信号の変化を検出してカードユニットのいずれかの箇所の異常状態を判定し、該異常状態を示すパチンコ機エラーＬＥＤを備えることを特徴とするパチンコ機制御ユニット。」と訂正する。
（２）訂正事項ｂ
　明細書の段落【００１４】の「【００１４】【課題を解決するための手段】上記課題を解決するために、請求項１のパチンコ機制御ユニットに係る発明は、装着されるカードの遊技情報を読み出しかつ書き込む機能を有するカードリードライタが接続されているカードユニット制御装置を備えるカードユニットと交信可能に接続されるパチンコ機制御装置を備えるパチンコ機制御ユニットにおいて、前記カードユニットからの遊技処理要求信号に始まる交信に基づき、貸出球を払出すよう制御するとともに、カードユニットのいずれかの箇所の異常状態を判定し、該異常状態を示すパチンコ機エラーＬＥＤがあることを特徴とするものである。また、上記課題を解決するために、請求項２のパチンコ機制御ユニットに係る発明は、請求項１の発明において、前記遊技処理要求信号は、カードユニットレディ信号と球貸要求信号とから構成され、前記各信号の変化を検出して、異常状態を判定することを特徴とするものである。」を、
「【００１４】【課題を解決するための手段】上記課題を解決するために、請求項１のパチンコ機制御ユニットに係る発明は、装着されるカードの遊技情報を読み出しかつ書き込む機能を有するカードリードライタが接続されるとともに、カードユニットレディ信号及び球貸要求信号を発生するカードユニット制御装置を備えるカードユニットと交信可能に接続されるパチンコ機制御装置を備え、貸出スイッチの操作による前記カードユニットレディ信号の発生から、貸出球の払出しを要求する前記球貸要求信号の発生までが所定時間以内であったか否かに応じて、カードユニット側の異常状態を判定し、異常状態の場合に、球排出装置の動作準備完了状態を示すパチンコ機レディ信号を、異常検出を表すカードユニット側エラー信号として出力するパチンコ機制御ユニットにおいて、前記カードユニット制御装置からの前記カードユニットレディ信号及び球貸要求信号からなる遊技処理要求信号に始まる交信に基づき、貸出球を払出すよう制御するとともに、前記遊技処理要求信号の変化を検出してカードユニットのいずれかの箇所の異常状態を判定し、該異常状態を示すパチンコ機エラーＬＥＤを備えることを特徴とする。」と訂正する。
　
２−２．訂正の目的の適否、新規事項の有無及び拡張・変更の存否
　上記訂正事項ａは、請求項２を削除するとと共に、請求項１に係る発明の構成に欠くことができない事項である「装着されるカードの遊技情報を読み出しかつ書き込む機能を有するカードリードライタが接続されているカードユニット制御装置」をこれに含まれる事項である「装着されるカードの遊技情報を読み出しかつ書き込む機能を有するカードリードライタが接続されるとともに、カードユニットレディ信号及び球貸要求信号を発生するカードユニット制御装置」に、同発明の構成に欠くことができない事項である「カードユニットからの遊技処理要求信号」をこれに含まれる事項である「カードユニット制御装置からの前記カードユニットレディ信号及び球貸要求信号からなる遊技処理要求信号」に夫々変更し、かつ同発明の構成に欠くことができない事項として新たに「貸出スイッチの操作による前記カードユニットレディ信号の発生から、貸出球の払出しを要求する前記球貸要求信号の発生までが所定時間以内であったか否かに応じて、カードユニット側の異常状態を判定し、異常状態の場合に、球排出装置の動作準備完了状態を示すパチンコ機レディ信号を、異常検出を表すカードユニット側エラー信号として出力する」を付加するとともに、同発明の構成に欠くことができない事項である「カードユニットのいずれかの箇所の異常状態を判定し」を「前記遊技処理要求信号の変化を検出してカードユニットのいずれかの箇所の異常状態を判定し」に変更して上記異常状態の判定が上記遊技処理要求信号の変化の検出に基づいて行われることを明りょうにし、同発明の構成に欠くことができない事項である「パチンコ機エラーＬＥＤがある」を「パチンコ機エラーＬＥＤを備える」に変更して上記パチンコ機エラーＬＥＤと上記パチンコ機制御ユニットの関係を明りょうにするものであるから、特許請求の範囲の減縮及び明りょうでない記載の釈明を目的とした明細書の訂正に該当する。
　上記訂正事項ｂは、上記訂正事項ａと整合を図るものであるから、明りょうでない記載の釈明を目的とした明細書の訂正に該当する。
　そして上記「カードユニットレディ信号及び球貸要求信号を発生するカードユニット制御装置」及び「カードユニット制御装置からの前記カードユニットレディ信号及び球貸要求信号からなる遊技処理要求信号」は、願書に添付される明細書の段落【００２７】、【００２８】及び【００３０】に、上記「貸出スイッチの操作による前記カードユニットレディ信号の発生から、貸出球の払出しを要求する前記球貸要求信号の発生までが所定時間以内であったか否かに応じて、カードユニット側の異常状態を判定し、異常状態の場合に、球排出装置の動作準備完了状態を示すパチンコ機レディ信号を、異常検出を表すカードユニット側エラー信号として出力する」点は、願書に添付される明細書の段落【００３０】、【００３５】及び【００６５】乃至【００７３】に、上記「遊技処理要求信号の変化を検出してカードユニットのいずれかの箇所の異常状態を判定」する点は、願書に添付される明細書の段落【００３０】、及び【００６５】乃至【０１０３】に夫々記載されているから、上記訂正事項ａ及びｂは、何れも新規事項の追加に該当しない。
　さらに上記「貸出スイッチの操作による前記カードユニットレディ信号の発生から、貸出球の払出しを要求する前記球貸要求信号の発生までが所定時間以内であったか否かに応じて、カードユニット側の異常状態を判定し、異常状態の場合に、球排出装置の動作準備完了状態を示すパチンコ機レディ信号を、異常検出を表すカードユニット側エラー信号として出力する」点は、訂正前の本件特許の請求項１及び２に係る発明の目的である「パチンコ機のいずれかの箇所に生じた異常状態に起因して遊技が中断したとき、復旧処理が円滑、かつ、迅速に行うことのできるパチンコ機制御ユニットの提供」に資するものであって、新たな目的を付加するものとはいえない。したがって上記訂正事項ａ及びｂは、何れも実質上特許請求の範囲を拡張、又は変更するものではない。
　
２−３．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申立てについての判断
　
３−１．申立ての理由の概要
　申立人細江裕実は、下記の甲第１乃至５号証を提出し、請求項１及び２に係る発明は、同発明についての特許出願の日前の他の特許出願であって当該特許出願の後に出願公開された甲第１号証に記載された発明と同一であって、発明者及び出願人が異なるから、請求項１及び２に係る発明の特許は、特許法第２９条の２の規定に違反してなされたものであり、請求項１及び２に係る発明の特許を取り消すべき旨主張している。
　甲第１号証：特開平５−３９５９号公報
　甲第２号証：特開昭６３−３１１９８２号公報
　甲第３号証：特開昭６３−３１７１７５号公報
　甲第４号証：特開平３−９４７８９号公報
　甲第５号証：特開平２−１７４８８３号公報
　
３−２．本件発明
　特許第３０８７０４３号の請求項１に係る発明（以下、「本件発明」という。）は、平成１３年１１月２８日付けの訂正明細書の特許請求の範囲の請求項１に記載された下記の通りのものである。
「【請求項１】装着されるカードの遊技情報を読み出しかつ書き込む機能を有するカードリードライタが接続されるとともに、カードユニットレディ信号及び球貸要求信号を発生するカードユニット制御装置を備えるカードユニットと交信可能に接続されるパチンコ機制御装置を備え、貸出スイッチの操作による前記カードユニットレディ信号の発生から、貸出球の払出しを要求する前記球貸要求信号の発生までが所定時間以内であったか否かに応じて、カードユニット側の異常状態を判定し、異常状態の場合に、球排出装置の動作準備完了状態を示すパチンコ機レディ信号を、異常検出を表すカードユニット側エラー信号として出力するパチンコ機制御ユニットにおいて、前記カードユニット制御装置からの前記カードユニットレディ信号及び球貸要求信号からなる遊技処理要求信号に始まる交信に基づき、貸出球を払出すよう制御するとともに、前記遊技処理要求信号の変化を検出してカードユニットのいずれかの箇所の異常状態を判定し、該異常状態を示すパチンコ機エラーＬＥＤを備えることを特徴とするパチンコ機制御ユニット。」
　
３−３．先願明細書に記載された事項
　甲第１号証に係る特許出願である特願平３−１８１８３８号（以下、「先願」という。）の願書に最初に添付した明細書又は図面（以下「先願明細書」という。）には以下の事項が記載されている。
「【請求項１】　任意の数の遊技球を排出可能な球排出装置およびその排出制御装置と、有価データを記憶したカードのデータを読取り可能なカードリーダ・・・とを備え、互いに異なる賞品球を与える複数の入賞条件を発生可能なパチンコ遊技機に、上記玉貸し変換要求手段の１回の操作に対する最小玉貸し回数を設定するための玉貸回数設定手段と、上記カードリーダからの信号に基づいてカードの挿入の有無を示す状態信号および上記玉貸し変換要求手段の操作によって玉貸し制御を開始し玉貸回数設定手段の設定回数に基づいて上記排出制御装置に対し有価データの最小変換単位分の貸し玉の排出終了ごとに玉貸し要求信号を供給する玉貸し制御装置とを設けるとともに、・・・排出制御装置は上記状態信号が所定のレベルにあることを条件に玉貸し制御装置からの要求に従って球排出装置を制御して所定数の貸し玉の排出を行なう・・・ことを特徴とするカード式パチンコ遊技システムにおける排出制御方式。」（特許請求の範囲）、
「図１には、本発明に係るカード式パチンコ遊技機の一実施例が示されている。この実施例では、パチンコ遊技機１００と玉貸機２００とが対をなすように構成されており、各玉貸機２００にはカードリーダが内蔵され、・・・この実施例では、変換ボタン１２３が押されると、上記球貸機２００のカードリーダへのカードの挿入を前提としてカードの有する金額の範囲内で、予め設定された金額（例えば３００円分）を貸し玉に変換する指令がパチンコ遊技機１００の裏面に設けられている球排出装置の制御装置に対して送出するように構成されている。」（段落【０００９】乃至【００１２】）、
「図４には、パチンコ遊技機１００の制御系の一実施例が示されている。この制御系は大きく分けると、・・・カードリーダ等の制御を司る玉貸し制御装置５００と、上記球排出装置１７０の制御を司る排出制御装置６００とにより構成されている。」（段落【００２２】）、
「玉貸し制御装置５００は、パチンコ遊技機１００内のカードリーダからの読取りデータを受けて・・・駆動信号を形成したり、カードリーダ制御装置２５０に対する残高データ書換え信号ｑ・・・を形成する。また、玉貸し制御装置５００は、・・・排出制御装置６００に対して玉貸し要求信号ＢＲＱを送ったり」（段落【００２６】）、
「図７には排出制御装置６００の構成例を示す。この実施例の排出制御装置６００は、・・・排出ソレノイド７４１ａ，７４１ｂを駆動して賞品球の排出や球抜を行なう排出制御手段６５０と、玉貸し制御装置５００からの玉貸し要求信号ＢＲＱに基づいて玉貸し排出数を演算し排出制御手段６１０に知らせる貸し玉排出制御手段６７０と、・・・とにより構成されている。」（段落【００３２】）、
「排出制御手段６５０は、・・・排出時には排出指令信号の内容に応じて例えば賞品球排出表示ランプ１１２または貸し玉排出表示ランプ１１３を点灯させたり、」（段落【００３４】）、
「貸し玉排出制御手段６７０は、・・・玉貸し制御装置５００からの玉貸し要求信号ＢＲＱおよびカード挿入信号Ｌと賞球数要求手段６２０からの賞球排出中を示す信号Ｙとに基づいて玉貸排出制御を開始すべきか判定する玉貸開始判定手段６７２と、・・・玉貸し制御装置５００に対して玉貸し排出が可能な状態にあることを知らせる玉貸し可能信号ＲＤＹや１回（１００円分）の貸し玉の排出が終了したことを知らせる貸し玉排出終了信号ＥＸＳ、賞球数要求手段６２０に対して貸し玉排出制御中であることを知らせる信号ｘを形成する排出制御信号形成部６７４等から構成されている。」（段落【００３６】）、
「図９は玉貸し制御装置５００の構成例を示す。この実施例の玉貸し制御装置５００は、シングルチップマイコン等からなる制御部５１０と、この制御部５１０とカードリーダ制御装置２５０との間のデータ送受信のインターフェースを行なうトランシーバ５０２・・・等によって構成されている。」（段落【００３９】）、
「上記制御部５１０は、カードリーダ制御装置２５０からのデータを読み込んでカードの残高データを判定しカードがカードリーダ内に存在することを示すカード有無信号ＣＯＮを出力したり挿入残高表示器２２０に対する表示データを形成するカード残高判定手段５１１と、玉貸し排出があったときにカード残高を減算して残高表示器２２０に対する表示データを形成したりカードリーダ制御装置２５０に対する書込データや指令を形成するカード残高減算手段５１２と、・・・玉貸可能判定手段５１５からの玉貸し要求信号の発生を許可する制御信号と玉貸し回数制御手段５１７からの信号に基づいて上記上記排出制御装置６００に対する玉貸し要求信号ＢＲＱを発生する玉貸要求制御手段５１７等から構成されている。」（段落【００４０】）、
「カードリーダ２５０に対する制御信号や残高表示器１２２の駆動信号およびパチンコ遊技機に設けられた玉貸し変換ボタン１２３からの信号によっ上記排出制御装置６００対する玉貸し要求信号等を形成して出力する上記玉貸し制御装置５００の制御手順を図１３ないし図２２を参照して詳細に説明する。図１３には、上記球貸し制御装置のメインルーチンの概略が示されている。」（段落【００５４】）、
「電源が立上がると、・・・それから、次のステップへ進み、玉貸し処理（ステップＳ８００８）、返却処理（ステップＳ８０１０）、ファンクション送受信処理（ステップＳ８０１２）および決済信号出力処理（ステップＳ８０１４）の４つの処理を、互いに並行して同時進行的に行なう。図１４および図１５には、上記メインルーチン（図１３）のステップＳ８００８で実行される玉貸し処理の具体的手順の一例が示されている。」（段落【００５５】及び【００５６】）、
「玉貸可能信号ＲＤＹは排出制御装置６００が貯留タンク１５１内の玉不足または遊技盤の打止め状態を検知した場合に、ロウレベルに変化される信号であり、システムの電源が投入され排出制御装置６００の制御が開始されるときには、玉貸可能信号ＲＤＹがハイレベル状態にされる。」（段落【００５７】）、
「上記ステップＳ８１１０で“Ｙｅｓ”すなわち玉貸可能信号ＲＤＹがハイレベルであると確認すると、ステップＳ８１１２へ進み、変換スイッチからの信号を見て玉貸し変換ボタン１２３がオンされているかか否か判定する。ここで、“Ｙｅｓ”ならステップＳ８１１４へ移行して・・・図１５のステップＳ８１３０へ移行する。」（段落【００６１】）、
「図１５のステップＳ８１３０へ移行して来ると、・・・排出制御装置６００に対する玉貸要求信号ＢＲＱをロウレベルにアサートして、排出終了信号ＥＸＳの応答待ちのＥＸＳタイマ（１０秒）をセットする（ステップＳ８１３２，Ｓ８１３４）。・・・ＥＸＳタイマがタイムアップする前に排出終了信号ＥＸＳが立ち下がりかつＥＸＳタイマが１０ｍ秒経過していると、次のステップＳ８１４２へ移行して再びＥＸＳタイマを１０秒にセットする。・・・ＥＸＳタイマがタイムアップする前に排出終了信号ＥＸＳが立ち上がりかつＥＸＳタイマが２００ｍ秒（この時間内排出が終了するはずはないため）経過していると、次のステップＳ８１５０へ移行して・・・１回の玉貸要求があると、玉貸し設定数（上記では「３」）分だけ排出を繰り返すまで玉貸要求信号ＢＲＱが続けてロウレベルにアサートされるようになる。・・・最後に排出終了信号ＥＸＳが立ち上がってから７５ｍ秒経過してから玉貸要求信号ＢＲＱがハイレベルに変化されるようになる。・・・最初のステップＳ８１０２へ戻る。」（段落【００６３】乃至【００６８】）、
「上述した排出制御装置６００によって行なわれる賞品球および貸し玉の排出制御の手順を図２３ないし図４９を参照して詳細に説明する。図２３には、上記排出制御装置６００が実行するメインルーチンの全体が示されている。・・・続くステップＳ２では、タイマの更新や各種センサからの検出信号、入力信号の読込みを行なうバックグランド処理が行なってから、ステップＳ３に進み、後述のＢＲＱ信号読込み処理（図３１）中でセットされる玉貸し要求信号ＢＲＱの立下りフラグが「１」であるか否か判定し、フラグが「１」のときはステップＳ１０の貸玉処理を行ない」（段落【００８９】及び【００９０】）、
「ステップＳ１０７でＩ／Ｏポートの初期化を行なって、排出制御装置６００から玉貸制御装置５００へ供給する玉貸可能信号ＲＤＹや排出終了信号ＥＸＳ等の状態（初期レベル）を設定する。ちなみに、玉貸可能信号ＲＤＹの初期状態はロウレベルで、排出終了信号ＥＸＳの初期状態はハイレベルである。・・・玉貸可能信号ＲＤＹをハイレベルにアサートして（ステップＳ１２１）、当該初期化処理を終了する。」（段落【００９５】及び【００９６】）、
「図２５には、図２３のメインルーチンや後述の各種処理中で実行されるバックグランド処理の内容が、また図２６−図３４にはその具体的手順が示されている。・・・このバックグランド処理が開始されると、・・・続いて玉貸し制御装置５００からの玉貸し要求信号ＢＲＱの入力処理（ステップＳ２８）およびカード有無信号ＣＯＮの入力処理（ステップＳ２９）を行なう。」（段落【００９６】及び【００９７】）、
「賞球排出表示器１１２（セーフランプ）」（段落【０１３９】）、
「図４４は、前述した賞球排出制御装置のメインルーチン（図２３）のステップＳ１０で実行される貸出処理の手順を示すフローチャートで、このフローは図３１の球貸し要求信号ＢＲＱの読込み処理によって信号の立下りエッジが検出されることにより開始され、所定数の貸し球の排出が行なわれる。このルーチンでは、まずステップＳ１５１で貸出条件の判定処理（図４５）を行なってから、次のステップＳ１５２でその結果を見て貸出可能か不能か判定する。・・・貸出可能であれば、貸出玉設定処理（ステップＳ１５３）を行なってから、ステップＳ１５４で球貸し要求信号ＢＲＱがロウレベルか否か判定し、・・・ステップＳ１５４で“Ｙｅｓ”すなわち球貸し要求信号ＢＲＱがロウレベルであると判定すると、ステップＳ１５５へ進んで、貸出排出処理を行なってからステップＳ１５６で処理が正常に終了したか判定し、“Ｙｅｓ”なら次のステップへ進み、貸出排出終了処理（ステップＳ１５７）を行なって、本ルーチンを終了する。」（段落【０１５３】及び【０１５４】）、
「図４５には、図４４のステップＳ１５１にて行なわれる貸出条件判定処理ルーチンのフローチャートが示されている。このルーチンでは、まずステップＳ１５１１で球貸し制御装置５００からのカード有無信号ＣＯＭがハイレベルか否か調べ、“Ｎｏ”ならステップＳ１５１９へ移行して貸出可能を示すフラグを“０”にクリアして本ルーチンを終了する。」（段落【０１５５】及び【０１５６】）、
「図４７は、図４４の貸出処理ルーチンのステップＳ１５５において実行される貸出排出処理のサブルーチンを示すフローチャートである。・・・本ルーチンが開始されると、先ずステップＳ６５０２において貸玉排出表示器１１３を点灯させ、玉貸し制御装置５００に対する排出終了信号ＥＸＳをロウレベルにアサートした後」（段落【０１５９】及び【０１６０】）、
「図４９には、図４４の貸出処理フローのステップＳ１５７にて行なわれる貸出排出終了処理ルーチンのフローチャートが示されている。・・・玉貸し制御装置５００に対する排出終了信号ＥＸＳをハイレベルに変化（ステップ６５７３）させた後、バックグランド処理を行なって各タイマを更新させてから上記ステップ６５７２で設定したタイマ１がタイムアップしたか判定する（ステップ６５７４，Ｓ６５７５）。・・・上記ステップ６５７５で玉貸し要求信号ＢＲＱがハイレベルに変化する前にステップ６５７２で設定したタイマ１がタイムアップしたと判定すると、ステップ６５８５へ移行し、球抜きソレノイドをオン、セーフランプを点灯、玉貸し可能信号ＲＤＹをロウレベルにネゲートして貸出排出処理を中止する。所定時間内に玉貸し制御装置５００から応答信号が戻ってこないのは通信ラインの切断等重大な故障が発生したと考えられるからである。」（段落【０１６９】乃至【０１７１】）、
「カードリーダにカードが挿入され、パチンコ遊技機１００に設けられた変換ボタン１２３が押されて玉貸し要求がなされた場合において、上記玉貸し制御装置５００と排出制御装置６００との間で送受信される信号の具体的なタイミングを図５０を用いて説明する。・・・遊技機の電源が投入されると、排出制御装置６００から玉貸し制御装置５００へ供給される玉貸し可能信号ＲＤＹがハイレベルに変化される（タイミングｔ１）。一方、カードリーダにカードが挿入されると、玉貸し制御装置５００がこれを検知して、排出制御装置６００に対するカード有無信号ＣＯＮをハイレベルにアサートする（タイミングｔ２）。その後、変換ボタン１２３が押されると、玉貸し制御装置５００は上記玉貸し可能信号ＲＤＹがハイレベルに変化されていることを確認して玉貸し要求信号ＢＲＱをロウレベルに変化させる（タイミングｔ３）。玉貸し要求信号ＢＲＱを受信した排出制御装置６００は、自らが出力している玉貸し可能信号ＲＤＹがハイレベルで、かつ玉貸し制御装置５００からのカード有無信号ＣＯＮがハイレベルであることを条件に、排出終了信号ＥＸＳをロウレベルに変化させ排出ソレノイド７４１ａ，７４１ｂを駆動して貸し玉の排出を開始する（タイミングｔ４）。そして、排出制御装置６００は、排出センサ７３０ａ，７３０ｂの検出信号を監視して排出数が２５個（１００円分）になった時点で排出ソレノイド７４１ａ，７４１ｂの駆動を停止させるとともに、玉貸し制御装置５００に対する排出終了信号ＥＸＳをハイレベルに変化させる（タイミングｔ５）。玉貸し制御装置５００は、排出終了信号ＥＸＳの立上りを検知しても玉貸し排出回数が設定された回数（３回）に達していないときは玉貸し要求信号ＢＲＱをそのままロウレベルにアサートさせておく。すると、排出制御装置６００は排出終了信号ＥＸＳ立ち上げ後１００ｍ秒経過した時点（タイミングｔ６，ｔ９，ｔ１２）で、玉貸し要求信号ＢＲＱのレベルを調べてそれがロウレベルであると、玉貸要求継続と判断して排出終了信号ＥＸＳをロウレベルに変化させ、貸し玉の排出を開始する（タイミングｔ７，ｔ１０）。３回目に玉貸し要求信号ＢＲＱのレベルを調べた時（タイミングｔ１２）に、ハイレベルであると貸し玉の排出排出処理を終了する。ただし、玉貸し制御装置５００は、玉貸し要求信号ＢＲＱをロウレベルにアサート（タイミングｔ３）してから１０秒経過しても排出終了信号ＥＸＳがロウレベルに変化しなかったり、排出終了信号ＥＸＳがロウレベルに変化（タイミングｔ４，ｔ７，ｔ１０）してから１０秒経過しても排出終了信号ＥＸＳがハイレベルに変化しなかった場合（Ｔ１＜１０秒，Ｔ２＜１０秒）には、カードリーダにカード排出指令を送って玉貸し制御を中断する（図１５のステップＳ８１３４，Ｓ８１４２参照）。一方、排出制御装置６００は、最後の排出終了信号ＥＸＳをハイレベルに変化（タイミングｔ１１）させてから１００ｍ秒経過しても玉貸し要求信号ＢＲＱがハイレベルに変化しなかった場合（Ｔ３＜１００ｍ秒）には、異常発生（正常なら７５ｍ秒で変化する）と判断して球抜きソレノイドをオン、セーフランプを点灯、玉貸し可能信号ＲＤＹをロウレベルにネゲートして貸し玉の排出処理を中止する（図４９のステップＳ６５７２，Ｓ６５７５参照）。」（段落【０１７２】乃至【０１７５】）、
「図１に記載されたパチンコ遊技機の斜視図」（図１）、
「図４に記載されたパチンコ遊技機及び球貸機の制御系のブロック図」（図４）、
「図７に記載された排出制御装置のブロック図」（図７）、
「図８に示された排出制御装置のシステム構成図」（図８）、
「図９に記載された球貸制御装置のブロック図」（図９）、
「図１３に記載された球貸し制御装置のメインルーチンの概略を示すフローチャート」（図１３）、
「図１４及び１５に記載された球貸し処理の具体的手順を示すフローチャート」（図１４及び１５）、
「図４４〜４９に記載された貸出処理の手順を示すフローチャート」（図４４〜４９）及び
「図５０に記載された球貸し制御装置と排出制御装置との間で送受信される信号の具体的なタイミングを示すタイムチャート」（図５０）。
　
３−４．当審の判断
　本件発明と上記３−３．に摘記した事項から把握される先願明細書に記載された発明を比較すると、先願明細書に記載された発明の「玉貸し要求信号ＢＲＱ」、「玉貸し制御装置」、「玉貸機」、「排出制御装置」、「貸し玉」、「球排出装置」、「玉貸し可能信号ＲＤＹ」及び「排出制御装置及び玉排出装置」は、各々、本件発明の「玉貸要求信号」及び「貸出球の払出しを要求する球貸要求信号」、「カードユニット制御装置」、「カードユニット制御装置を備えるカードユニット」、「カードユニットと交信可能に接続されるパチンコ機制御装置」、「貸出球」、「球排出装置」、「球排出装置の動作準備完了状態を示すパチンコ機レディ信号」及び「パチンコ機制御装置を備えるパチンコ機制御ユニット」に相当する。
　先願明細書に記載された発明において、上記球貸し制御装置は、上記カードリーダからの読取りデータを受けるとともに上記カードリーダ制御装置に残高データ書換え信号等を出力する。したがって先願明細書に記載された発明の「カードリーダ」は、本件発明の「装着されるカードの遊技情報を読み出しかつ書き込む機能を有するカードリードライタ」に相当し、かつ上記球貸し制御装置に接続されている。
　上記排出制御装置は、上記球貸し制御装置が上記球貸し要求信号ＢＲＱをロウレベルに変化させたことを受信すると、上記排出終了信号ＥＸＳを変化させるとともに、上記玉排出装置により貸し玉を排出する。したがって先願明細書に記載された発明の上記排出制御装置及び上記玉排出装置は、本件発明の上記パチンコ機制御ユニットと、「カードユニット制御装置からの球貸要求信号を含む遊技処理要求信号に始まる交信に基づき、貸出球を払出すよう制御する」点において共通する。
　上記排出制御装置は、最後の上記排出終了信号ＥＸＳをハイレベルに変化させてから１００ｍ秒経過しても上記玉貸し要求信号ＢＲＱがハイレベルに変化しなかった場合には、異常発生と判断する。したがって先願明細書に記載された発明の上記排出制御装置及び上記玉排出装置は、本件発明の上記パチンコ機制御ユニットと、「カードユニット制御装置からの球貸要求信号を含む遊技処理要求信号に始まる交信に基づき、前記遊技処理要求信号の変化を検出してカードユニットのいずれかの箇所の異常状態を判定」する点において共通する。
　さらに上記異常発生と判断した場合、上記排出制御装置は、上記「セーフランプ」を点灯する。してみると本件発明の「パチンコ機エラーＬＥＤ」と先願明細書に記載された発明の「セーフランプ」は、「カードユニットのいずれかの箇所の異常状態を示す」点で一致するが、前者がＬＥＤであるのに対し、後者は形式が特定されていない点で一応相違する。しかしながら、パチンコ機において表示ランプとしてＬＥＤを用いることは慣用手段であって、それにより新たな効果を奏するものでもない。したがって、上記相違点は実質的なものではない。
　したがって本件発明と先願明細書に記載された発明は、「装着されるカードの遊技情報を読み出しかつ書き込む機能を有するカードリードライタが接続されるとともに、球貸要求信号を発生するカードユニット制御装置を備えるカードユニットと交信可能に接続されるパチンコ機制御装置を備えるパチンコ機制御ユニットにおいて、前記カードユニット制御装置からの球貸要求信号を含む遊技処理要求信号に始まる交信に基づき、貸出球を払出すよう制御するとともに、前記遊技処理要求信号の変化を検出してカードユニットのいずれかの箇所の異常状態を判定し、該異常状態を示すパチンコ機エラーＬＥＤを備えるパチンコ機制御ユニット。」の発明である点で一致し、（Ａ）前者は、カードユニット制御装置が、貸出スイッチの操作によりカードユニットレディ信号を発生するのに対し、後者は、当該構成を有しない点、（Ｂ）前者が、貸出スイッチの操作による前記カードユニットレディ信号の発生から、貸出球の払出しを要求する前記球貸要求信号の発生までが所定時間以内であったか否かに応じて、カードユニット側の異常状態を判定し、異常状態の場合に、球排出装置の動作準備完了状態を示すパチンコ機レディ信号を、異常検出を表すカードユニット側エラー信号として出力するのに対し、後者は、当該構成を有しない点、及び（Ｃ）前者は、遊技処理要求信号が上記カードユニットレディ信号及び上記球貸要求信号からなるのに対し、後者は、上記カード有無信号ＣＯＮ及び上記玉貸し要求信号ＢＲＱからなる点で相違する。
　そこで上記相違点について検討する。
　上記相違点（Ｂ）について、該相違点に係る本件発明の構成は、先願明細書に記載された事項から自明であるとはいえず、さらに特許異議申立人が周知技術を開示する証拠として提示した甲第２乃至５号証等を参照しても、上記特願平３−３４８０７６号が出願された時点、すなわち本件発明が出願された時点で周知であるということもできない。
　したがってその余の相違点について検討するまでもなく、本件発明は、先願明細書に記載された発明と同一ではない。
　
３−５．むすび
　以上のとおりであるから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年１月１６日（２００２．１．１６）
【訂正の要旨】
訂正の要旨
（１）訂正事項ａ
　特許請求の範囲「【請求項１】　装着されるカードの遊技情報を読み出しかつ書き込む機能を有するカードリードライタが接続されているカードユニット制御装置を備えるカードユニットと交信可能に接続されるパチンコ機制御装置を備えるパチンコ機制御ユニットにおいて、前記カードユニットからの遊技処理要求信号に始まる交信に基づき、貸出球を払出すよう制御するとともに、カードユニットのいずれかの箇所の異常状態を判定し、該異常状態を示すパチンコ機エラーＬＥＤがあることを特徴とするパチンコ機制御ユニット。
　【請求項２】　前記遊技処理要求信号は、カードユニットレディ信号と球貸要求信号とから構成され、前記各信号の変化を検出して、異常状態を判定することを特徴とする請求項１記載のパチンコ機制御ユニット。」を、特許請求の範囲の減縮及び明りょうでない記載の釈明を目的として、請求項２を削除し、
「【請求項１】装着されるカードの遊技情報を読み出しかつ書き込む機能を有するカードリードライタが接続されるとともに、カードユニットレディ信号及び球貸要求信号を発生するカードユニット制御装置を備えるカードユニットと交信可能に接続されるパチンコ機制御装置を備え、貸出スイッチの操作による前記カードユニットレディ信号の発生から、貸出球の払出しを要求する前記球貸要求信号の発生までが所定時間以内であったか否かに応じて、カードユニット側の異常状態を判定し、異常状態の場合に、球排出装置の動作準備完了状態を示すパチンコ機レディ信号を、異常検出を表すカードユニット側エラー信号として出力するパチンコ機制御ユニットにおいて、前記カードユニット制御装置からの前記カードユニットレディ信号及び球貸要求信号からなる遊技処理要求信号に始まる交信に基づき、貸出球を払出すよう制御するとともに、前記遊技処理要求信号の変化を検出してカードユニットのいずれかの箇所の異常状態を判定し、該異常状態を示すパチンコ機エラーＬＥＤを備えることを特徴とするパチンコ機制御ユニット。」と訂正する。
（２）訂正事項ｂ
　明細書の段落【００１４】の「【００１４】【課題を解決するための手段】上記課題を解決するために、請求項１のパチンコ機制御ユニットに係る発明は、装着されるカードの遊技情報を読み出しかつ書き込む機能を有するカードリードライタが接続されているカードユニット制御装置を備えるカードユニットと交信可能に接続されるパチンコ機制御装置を備えるパチンコ機制御ユニットにおいて、前記カードユニットからの遊技処理要求信号に始まる交信に基づき、貸出球を払出すよう制御するとともに、カードユニットのいずれかの箇所の異常状態を判定し、該異常状態を示すパチンコ機エラーＬＥＤがあることを特徴とするものである。また、上記課題を解決するために、請求項２のパチンコ機制御ユニットに係る発明は、請求項１の発明において、前記遊技処理要求信号は、カードユニットレディ信号と球貸要求信号とから構成され、前記各信号の変化を検出して、異常状態を判定することを特徴とするものである。」を、明りょうでない記載の釈明を目的として
「【００１４】【課題を解決するための手段】上記課題を解決するために、請求項１のパチンコ機制御ユニットに係る発明は、装着されるカードの遊技情報を読み出しかつ書き込む機能を有するカードリードライタが接続されるとともに、カードユニットレディ信号及び球貸要求信号を発生するカードユニット制御装置を備えるカードユニットと交信可能に接続されるパチンコ機制御装置を備え、貸出スイッチの操作による前記カードユニットレディ信号の発生から、貸出球の払出しを要求する前記球貸要求信号の発生までが所定時間以内であったか否かに応じて、カードユニット側の異常状態を判定し、異常状態の場合に、球排出装置の動作準備完了状態を示すパチンコ機レディ信号を、異常検出を表すカードユニット側エラー信号として出力するパチンコ機制御ユニットにおいて、前記カードユニット制御装置からの前記カードユニットレディ信号及び球貸要求信号からなる遊技処理要求信号に始まる交信に基づき、貸出球を払出すよう制御するとともに、前記遊技処理要求信号の変化を検出してカードユニットのいずれかの箇所の異常状態を判定し、該異常状態を示すパチンコ機エラーＬＥＤを備えることを特徴とする。」と訂正する。
（５４）【発明の名称】
パチンコ機制御ユニット
（５７）【特許請求の範囲】
　【請求項１】装着されるカードの遊技情報を読み出しかつ書き込む機能を有するカードリードライタが接続され
るとともに、カードユニットレディ信号及び球貸要求信号を発生する
え、貸出スイッチの操作による前記カードユニットレディ信号の発生から、貸出球の払出しを要求する前記球貸要求信号の発生までが所定時間以内であったか否かに応じて、
し、異常状態の場合に、球排出装置の動作準備完了状態を示すパチンコ機レディ信号を、異常検出を表すカードユニット側エラー信号として出力
前記カードユニット
制御装置
前記カードユニットレディ信号及び球貸要求信号からなる
前記遊技処理要求信号の変化を検出して
該異常状態を示すパチンコ機エラーＬＥＤを
備え
【発明の詳細な説明】
　【０００１】
　【産業上の利用分野】本発明はカードによって、遊技球の貸出しが可能なカード式パチンコ機の改良に関する。
　【０００２】
　【従来の技術】パチンコ機には、遊技球の貸出しにカードを使用し、パチンコ機に遊技球の貸出し機能を設けたカード式パチンコ機がある。この種のカード式パチンコ機は、遊技用のカードと、このカードが装着されるパチンコ機とから構成され、貸し出された遊技球（以下、貸出球という）をパチンコ機に投入することにより、パチンコ遊技（以下、遊技という）が可能になる。
　【０００３】カードには、遊技球の貸出可能金額データおよび不正防止用のＩＤ符号データからなる遊技情報を書き込むための書込部が設けられ、カードがパチンコ機または遊技球貸出器に装着されたとき、書込部に書き込まれた遊技情報に不都合がないとき、遊技球の貸し出しは可能になる。
　【０００４】パチンコ機にはパチンコ機制御回路が設けられ、パチンコ機制御回路はカードに係る処理およびパチンコ機の各部に係る処理を実行する。パチンコ機制御回路にはカードリードライタが備えられ、カードリードライタは書込部に書き込まれた遊技情報を読み出し、かつ、遊技情報を書込部に書き込む機能が備えられている。
　【０００５】そしてパチンコ機制御回路は所定の操作に応じ、装着済カードの遊技情報をカードリードライタによって読み出し、貸出可能金額データの所望額を所定レートで遊技球数データに変換演算する。このときパチンコ機制御回路は貸出可能金額データから、変換演算された金額を減算して、その差を新たな貸出可能金額データに置き換える。
　【０００６】たとえば新たな遊技を開始する場合および手持ち遊技球数が打ち出しによって「零」または少数まで減少された場合、パチンコ機に設けられたスイッチなどを操作することにより、パチンコ機制御回路は上記変換演算を実行したのち、所定数の貸出球をパチンコ機から払出させる。
　【０００７】このような構成のカード式パチンコ機は、パチンコ機の全体がパチンコ機制御回路によって制御され、このパチンコ機制御回路は、概略マイクロコンピュータおよびソフトウェアからなり、それよりも上位の管理装置に接続されている。
　【０００８】そしてパチンコ機のいずれかの箇所に異常状態が発生した場合、パチンコ機制御回路はその異常状態をパチンコ機の表示灯およびスピーカなどによって表示するので、遊技場側の係員および遊技者はパチンコ機の異常状態を認識できる。
　【０００９】これと同時に、パチンコ機制御回路がパチンコ機の異常状態を表す信号を管理装置に入力するので、管理装置は異常状態にあるパチンコ機を特定できる。
　【００１０】
　【発明が解決しようとする課題】しかしながらパチンコ機の全体が単体のパチンコ機制御回路によって制御されていることから、パチンコ機制御回路自体が異常状態にある場合、異常状態発生時における遊技情報の保持、上記各スイッチの無効化および有効化および装着されているカードの返却処理などの綿密なエラー処理を実行することができない。
　【００１１】また状況によっては、パチンコ機制御回路がソフトウェア上の特定のステップをループするロック状態いわゆる暴走を招くこともあり、このような場合、遊技者に対して早急な復旧を要することから、遊技場側の係員は、一旦、電源の供給を中断したのちに電源供給を再開することにより初期設定している。
　【００１２】したがって上記異常状態に起因した遊技の中断時にはパチンコ機、カードおよび遊技情報を中断直前の遊技状態に円滑、かつ、迅速に復旧処理することができないことから、遊技意欲を減退させるという問題を招いていた。
　【００１３】そこで本発明は、パチンコ機のいずれかの箇所に生じた異常状態に起因して遊技が中断したとき、復旧処理が円滑、かつ、迅速に行うことができるパチンコ機制御ユニットの提供を目的としている。
　【００１４】
　【課題を解決するための手段】上記課題を解決するために、請求項１のパチンコ機制御ユニットに係る発明は、装着されるカードの遊技情報を読み出しかつ書き込む機能を有するカードリードライタが接続され
るとともに、カードユニットレディ信号及び球貸要求信号を発生する
え、貸出スイッチの操作による前記カードユニットレディ信号の発生から、貸出球の払出しを要求する前記球貸要求信号の発生までが所定時間以内であったか否かに応じて、
し、異常状態の場合に、球排出装置の動作準備完了状態を示すパチンコ機レディ信号を、異常検出を表すカードユニット側エラー信号として出力
制御装置
前記カードユニットレディ信号及び球貸要求信号からなる
前記遊技処理要求信号の変化を検出して
備え
。
　【００１５】
　【作用】パチンコ機はカードユニットおよびパチンコ機制御ユニットによって制御され、カードユニットがカード処理要求信号に基いてパチンコ機制御ユニット側の異常状態を検出し、かつ、パチンコ機制御ユニットが遊技処理要求信号に基いてカードユニット側の異常状態を検出するので、カードユニットおよびパチンコ機制御ユニットは互いに両者の異常状態を検出できる。また、異常状態であることをＬＥＤによって容易に知ることができる。
　【００１６】
　【実施例】以下に、本発明の一実施例を図面に基いて遊技の場合について詳細に説明する。図１はカード式パチンコ機の構成を示しており、１はカード、２はパチンコ機を示し、パチンコ機２は管理装置３に交信可能に接続されている。
　【００１７】カード１の表面には図示を省略した磁性体が全体的に塗布され、この磁性体の表面にはさらに非磁性体のコーティングが施されている。カード１には、たとえば仮想線で示すように特定個所に書込部４が設けられ、この書込部４には遊技情報が書き込まれている。
　【００１８】この遊技情報は、少なくとも貸出可能金額データからなり、所望により遊技場識別データおよび不正防止のためのＩＤ符号データなどを追加することも可能である。
　【００１９】本実施例における貸出可能金額データは、貸出可能金額データを単位貸出金額（本実施例では１００円）で除算された「商」で表され、この「商」を以下、度数または残度数ということにする。カード１は書込部４を複数のトラックで構成し、種別に応じて別個のトラックに遊技情報を書き込むようにしてもよい。
　【００２０】遊技情報は、図示を省略したカード発行機によって予め書込部４に書き込まれ、上記カード発行機および管理装置３は互いに交信可能に接続されている。
　【００２１】パチンコ機２は、カードユニット５とパチンコ機制御ユニット６とからなるパチンコ機制御回路によって制御される。カードユニット５およびパチンコ機制御ユニット６は、ともにＣＰＵを主構成とするものである。
　【００２２】カードユニット制御装置１０にはリードライトヘッドからなるカードリードライタ７が接続され、カードリードライタ７はカードユニット５に装着されるカード１の書込部４から遊技情報を読み出す機能と、遊技終了時に遊技の進行状況に応じた遊技情報を書込部４に書き込む機能とを備えている。
　【００２３】８で示した貸出スイッチは、カードユニット５に装着されるカード１によって貸出球を借り受ける際に操作するもので、９で示した返却スイッチは、カードユニット５に装着されているカード１を取り出す際に操作するものである。
　【００２４】貸出スイッチ８および返却スイッチ９は、ともにカードユニット制御装置１０に接続され、かつ、パチンコ機２の前面（図示省略）に配置され、カードユニット制御装置１０により押下操作の無効化または有効化が図られる。
　【００２５】カードユニット５にはカードユニット制御装置１０が設けられており、パチンコ機制御ユニット６にはパチンコ機制御装置１１が設けられている。カードユニット制御装置１０は管理装置３と互いに交信可能に接続されている。
　【００２６】カードユニット制御装置１０は、カード１の書込部４に書き込まれた度数（遊技情報）に基いてパチンコ機制御ユニット６側いいかえればパチンコ機２に貸出球の払出しを要求し、貸出球の払出し処理に基いて残度数を減算し、その差を新たな度数に置き換えたのち、この度数をカードリードライタ７によって適宜、書込部４に書き込む。
　【００２７】またカードユニット制御装置１０は後述する複数種のタイマを有し、パチンコ機２へのカード１の装着および遊技者による両スイッチ８，９のいずれかの操作に応じ、パチンコ機制御ユニット６を動作させるための遊技処理要求信号を発生させ、かつ、その旨を表示するための表示信号を発生させる。
　【００２８】上記遊技処理要求信号は、カードユニット５側の異常状態をパチンコ機制御装置１１すなわちパチンコ機制御ユニット６によって検出するためのものでもあり、カードユニットレディ信号と球貸要求信号とから構成されている。
　【００２９】この表示信号はさらに、パチンコ機２の動作の状態を、貸出スイッチＬＥＤ１３、残度数表示ＬＥＤ１４、カード利用可ランプ１５、カード挿入中ランプ１６によって点灯表示するためのもので、これらＬＥＤおよびランプ１３〜１６はカードユニット制御装置１０に接続されており、かつ、カードユニット制御装置１０によって制御される。
　【００３０】上述したカードユニットレディ信号は、カードユニット５が動作準備完了状態にあることと、貸出球が払出動作中であることとを示すものである。球貸要求信号は、遊技情報の加減算および売上信号を出力するとともにパチンコ機制御ユニット６に貸出球の払出しを要求して、１２で示した後述する球排出装置を動作させるためのものである。
　【００３１】パチンコ機制御ユニット６にはパチンコ機制御装置１１が設けられ、パチンコ機制御装置１１はカードユニット制御装置１０いいかえればカードユニット５と互いに交信可能に接続されている。
　【００３２】そしてパチンコ機制御装置１１は、カードユニット５からの貸出球の払出し要求に応じてメモリに格納されている所定数分の貸出球を、球排出装置１２を起動させることによって払出すほか、パチンコ機２の各部を遊技可能に動作させる。
　【００３３】残度数表示ＬＥＤ１４は現在の度数を表示するためのもので、この度数はカードリードライタ７によって読み出された度数に基いて、カードユニット制御装置１０によって上述したように演算され、その演算値は残度数表示ＬＥＤ１４に常時入力されている。
　【００３４】さらにパチンコ機制御装置１１は、上述した遊技処理要求信号のいずれかの発生に基いて、カードユニット５を動作させるためのカード処理要求信号を発生させる。このカード処理要求信号は、パチンコ機制御ユニット６側の異常状態をカードユニット制御装置１０すなわちカードユニット５によって検出するためのものでもあり、パチンコ機レディ信号と球貸処理信号とから構成されている。
　【００３５】パチンコ機レディ信号は、球排出装置１２が動作準備完了状態にあることを、また球貸処理信号はカードユニット５からの貸出球の払い出しを了承したことと、所定数の貸出球が球排出装置１２によって払出しを完了したことを、それぞれ表している。
　【００３６】パチンコ機制御装置１１は上記機能のほか、周知の打球発射装置、入賞球の検出に起因した球排出装置１２による賞品球の払い出し、各種表示灯および効果音発生装置（それぞれ図示省略）など、主にパチンコ機２の各部に係る処理を制御することができる。
　【００３７】球排出装置１２はパチンコ機制御装置１１によって制御されるもので、パチンコ機制御装置１１はカードユニット５側から入力される球貸要求信号の発生に基いて、球排出装置１２を動作させることにより所定数の貸出球を払出すとともに、入賞球の検出に基いて球排出装置１２を動作させることによって所定数の賞品球を払い出す。
　【００３８】上記貸出スイッチＬＥＤ１３は貸出スイッチ８の押下げ（ＯＮ）操作が有効な場合のみに点灯する。
　【００３９】残度数表示ＬＥＤ１４は複数桁の７セグメントＬＥＤからなり、書込部４に書き込まれた度数または球貸後の残度数を示す。そしてカード１がカードユニット５に装着されていない場合、カード１の装着待ち状態として表示残度数表示ＬＥＤ１４には「ーーー」が点灯表示される。
　【００４０】カード利用可ランプ１５は、パチンコ機２がカード１の利用可能状態を示し、カードユニット５およびパチンコ機制御ユニット６が正常動作状態にある場合、カードユニット制御装置１０によって点灯される。
　【００４１】カード挿入中ランプ１６は、カード１がすでにカードユニット５に装着されている状態であることと、カードユニット５のエラー状態とを示し、そしてパチンコ機エラーＬＥＤ１７は、パチンコ機２のいずれかの箇所に異常状態があることを、それぞれ示すものである。
　【００４２】また返却スイッチ９の動作と、カードリードライタ７の書き込み動作とは連動しており、カードリードライタ７は返却スイッチ９の動作時点における残度数データをカード１の書込部４に書き込む。
　【００４３】つぎに上記構成に係る本発明のカード式パチンコ機の動作を図について以下に説明する。
　【００４４】まず電源投入からカード１が装着されるまでの正常動作を説明する。パチンコ機２に図示を省略した電源が投入されると（図２ア参照）、図示を省略したドライバ回路に予め設定されている初期設定用の各種の表示を残度数表示ＬＥＤ１４によって行ったのち（図２イ参照）、各種の信号の初期状態を監視する図示を省略した監視タイマによって監視時間Ｔｓ（秒間）の計測を開始する。
　【００４５】この監視タイマは本実施例においてカードユニット制御装置１０に内蔵されているが、これに限定されるものではなく、監視タイマをパチンコ機制御装置１１に設けたり、カードユニット制御装置１０およびパチンコ機制御装置１１とは別個に設けてもよい。
　【００４６】監視時間Ｔｓが計測されている間に、カードユニット制御装置１０からカードユニットレディ信号が「Ｈ」、球貸要求信号が「Ｈ」、さらにはパチンコ機制御装置１１からパチンコ機レディ信号が「Ｌ」、球貸処理信号が「Ｈ」を出力すると（図２イ参照）、カードユニット５およびパチンコ機制御ユニット６は正常動作状態にあるとみなされ、カードユニット制御装置１０はカード利用可ランプ１５を点灯する。
　【００４７】このときカード１はパチンコ機２に装着されていないので、カードユニット制御装置１０が、カード挿入中ランプ１６を消灯し、残度数表示ＬＥＤ１４に「ーーー」を点灯表示し、かつ、貸出スイッチＬＥＤ１３を消灯させている。このとき貸出スイッチ８および返却スイッチ９は、カードユニット制御装置１０によって押下操作が無効化されている。
　【００４８】ついでカード１が装着されると（図２ウ参照）、カードユニット制御装置１０はカードリードライタ７によってカード１の残度数（本実施例の場合には１００）を読み取り、読み取った残度数を残度数表示ＬＥＤ１４に表示する。これと同時にカードユニット制御装置１０は貸出スイッチＬＥＤ１３およびカード挿入中ランプ１６を点灯し、かつ、貸出スイッチ８および返却スイッチ９の押下操作が有効化される。
　【００４９】つぎにカード１の装着後の正常動作について説明する。
　【００５０】なお本実施例にあっては、単位貸出金額を「１度」当たり１００円に定めるとともに「１度」当たりの貸出球払出数を「２５球」に定め、このデータはパチンコ機制御装置１１内のメモリに格納されている。一方、カードユニット５側では１回当たりの貸出スイッチ８の押下操作（ＯＮ）により、貸出球が「３度分」すなわち７５球（＝２５球×３回）払出されるように設定している。
　【００５１】なお「１度」当たりの貸出球払出数は、上記メモリを交換することまたは「１度」当たりの貸出球払出数設定手段を設けることによって、任意に設定できるようにしてもよい。またカードユニット５側には設定手段が設けられ、１回当たりの貸出スイッチの押下操作（ＯＮ）に基く払出処理回数は任意に設定できるようになっている。
　【００５２】カード１が装着されている状態において、貸出スイッチ８が押下操作されると、カードユニット制御装置１０は、カードユニットレディ信号を「Ｈ」から「Ｌ」に変化させ、同時に貸出スイッチ８および返却スイッチ９の操作がカードユニット制御装置１０により無効化される（図３・０ーア参照）。
　【００５３】つぎにカードユニット制御装置１０は球貸要求信号を「Ｈ」から「Ｌ」に変化させる一方（図３・０ーイ参照）、この「Ｈ」から「Ｌ」への変化がパチンコ機制御装置１１によって検出される。つづいてパチンコ機制御装置１１は球貸処理信号を「Ｈ」から「Ｌ」に変化させる（図３・０ーウ参照）。
　【００５４】この球貸処理信号の「Ｈ」から「Ｌ」への変化がカードユニット５によって検出されると、カードユニット制御装置１０は球貸要求信号を「Ｌ」から「Ｈ」に変化させる（図３・０ーエ参照）。
　【００５５】これに基いてパチンコ機制御装置１１は球排出装置１２を動作させることにより第１回目の球貸処理を開始する一方、カードユニット制御装置１０は残度数を更新するために、球貸処理に応じてカード１の残度数を「１度」減算する。これと同時にカードユニット制御装置１０は第１回目の売上信号として、「１度」に相当する信号を管理装置３に入力する。
　【００５６】ついで球排出装置１２による第１回目の球貸処理が完了すると、パチンコ機制御装置１１は球貸処理信号を「Ｌ」から「Ｈ」に変化させる（図３・０ーオ参照）。この球貸処理信号の「Ｌ」から「Ｈ」への変化をカードユニット制御装置１０が検出すると、第２回目の球貸処理を球排出装置１２に実行させるため、カードユニット制御装置１０は球貸要求信号を「Ｈ」から「Ｌ」に変化させる（図３・０ーカ参照）。
　【００５７】つぎに球貸要求信号の「Ｈ」から「Ｌ」への変化をパチンコ機制御装置１１が検出すると、パチンコ機制御装置１１は球貸処理信号を「Ｈ」から「Ｌ」に変化させる（図３・０ーキ参照）。
　【００５８】この球貸処理信号の「Ｈ」から「Ｌ」への変化をカードユニット制御装置１０が検出すると、カードユニット制御装置１０は球貸要求信号を「Ｌ」から「Ｈ」に変化させ（図３・０ーク参照）、これにより球貸処理が球排出装置１２によって開始される。
　【００５９】これと同時にカード１の残度数が上記同様に更新され、管理装置３にはカードユニット制御装置１０から第２回目の売上信号が入力される。そして第２回目の球貸処理が完了すると、パチンコ機制御装置１１は球貸処理信号を「Ｌ」から「Ｈ」に変化させる（図３・０ーケ参照）。
　【００６０】これをカードユニット制御装置１０が検出すると、第３回目の球貸処理を球排出装置１３に実行させるためにカードユニット制御装置１０は球貸要求信号を「Ｈ」から「Ｌ」に変化させる（図３・０ーコ参照）。
　【００６１】この球貸要求信号の「Ｈ」から「Ｌ」への変化をパチンコ機制御装置Ｈが検出すると、パチンコ機制御装置１１は球貸処理信号を「Ｈ」から「Ｌ」に変化させる（図３・０ーサ参照）。
　【００６２】この球貸処理信号の「Ｈ」から「Ｌ」への変化をカードユニット制御装置１０が検出すると、カードユニット制御装置１０は球貸要求信号を「Ｈ」から「Ｌ」に変化させる（図３・０ーシ参照）。
　【００６３】これにより球貸処理が球排出装置１２によって開始され、それとともにカード１の残度数が上記同様に更新され、管理装置３に対してカードユニット制御装置１０から第３回目の売上信号が出力される。
　【００６４】第３回目の球貸処理が終了すると、パチンコ機制御装置１１は球貸処理信号を「Ｌ」から「Ｈ」に変化させる（図３・０ース参照）。この変化がカードユニット制御装置１０によって検出されると、カードユニット制御装置１０はカードユニットレディ信号を「Ｌ」から「Ｈ」にし、同時に貸出スイッチ８および返却スイッチ９の操作を有効化する（図３・０ーセ参照）。
　【００６５】つぎに異常状態の例・「エラー１」についてを以下に説明する。本実施例は貸出スイッチ８が押下操作されてから、予め定められた待機時間Ｔ０が経過する間に、カードユニット制御装置１０が球貸要求信号を「Ｈ」から「Ｌ」に変化させない場合の処理に係るものである。
　【００６６】なお待機時間Ｔ０はパチンコ機制御装置１１に内蔵された図示を省略した待機タイマによって計測され、この待機タイマは待機時間Ｔ０をはじめとする複数種の待機時間Ｔ０，Ｔ１，Ｔ２，Ｔ３，Ｔ４，ＴＥ，Ｔｓを計測することができる。また上述した監視タイマと同様、上記待機タイマをカードユニット制御装置１０に設けたり、カードユニット制御装置１０およびパチンコ機制御装置１１とは別個に設けてもよい。
　【００６７】貸出スイッチ８が押下操作されると、カードユニット制御装置１０は、カードユニットレディ信号を「Ｈ」から「Ｌ」にすると同時に、貸出スイッチ８および返却スイッチ９を無効化する。
　【００６８】このカードユニットレディ信号の「Ｈ」から「Ｌ」への変化がパチンコ機制御装置１１によって検出されると、パチンコ機制御装置１１は上記待機タイマによって待機時間Ｔ０の計測を開始する。
　【００６９】ここで正常動作状態にあるならば、パチンコ機制御装置１１が待機時間Ｔ０内に球貸要求信号の「Ｈ」から「Ｌ」への変化を検出するが、待機時間Ｔ０が経過する以前に球貸要求信号の「Ｈ」から「Ｌ」への変化をパチンコ機制御装置１１が検出しない場合、パチンコ機制御装置１１は、カードユニット５側のいずれかの箇所が異常状態「エラー１」にあると判定する（図４・１ーア参照）。
　【００７０】そしてパチンコ機制御装置１１は、カードユニット５側の異常状態「エラー１」が表されたパチンコ機レディ信号をカードユニット制御装置１０に入力し、同時に「エラー１」をパチンコ機エラーＬＥＤ１７に表示する（図４・１ーイ参照）。
　【００７１】またカードユニット制御装置１０はカードユニットレディ信号を「Ｌ」から「Ｈ」に変化させ、これと同時にカード利用可ランプ１５を消灯し、残度数表示ＬＥＤ１４には「ＥＥＥ」を表示するとともに返却スイッチ９を有効化する（図４・１ーウ参照）。
　【００７２】そののちパチンコ機制御装置１１は、カードユニット５側の異常状態をパチンコ機レディ信号の「Ｈ」状態を１０秒間保持することによって表し、１０秒間が経過した時点においてカードユニットレディ信号の「Ｈ」状態を検出すると、パチンコ機レディ信号を「Ｈ」から「Ｌ」に変化させ、同時にパチンコ機エラーＬＥＤ１７を消灯する。
　【００７３】ついでカードユニット制御装置１０は、パチンコ機レディ信号の「Ｈ」から「Ｌ」への変化を検出すると、カード利用可ランプ１５を点灯させ、残度数表示ＬＥＤ１４のエラー表示を残度数の表示に切り換えるとともに、無効であった貸出スイッチ８を有効化する（図４・１ーエ参照）。
　【００７４】つぎに異常状態の例・「エラー２」についてを以下に説明する。本実施例は、パチンコ機制御装置１１が球貸処理信号を「Ｈ」から「Ｌ」に変化させてから、予め定められた待機時間Ｔ２が経過する間にカードユニット制御装置１０が球貸要求信号を「Ｌ」から「Ｈ」に変化させない場合の処理に係るものである。
　【００７５】貸出スイッチ８が押下操作されると、カードユニット制御装置１０はカードユニットレディ信号を「Ｈ」から「Ｌ」にし、それと同時に貸出スイッチ８および返却スイッチ９の操作がカードユニット制御装置１０により無効化される。
　【００７６】そののちカードユニット制御装置１０は球貸要求信号を「Ｈ」から「Ｌ」に変化させ、この変化をパチンコ機制御装置１１が検出すると、パチンコ機制御装置１１は球貸処理信号を「Ｈ」から「Ｌ」に変化させるとともに待機時間Ｔ２の計測を上記待機タイマによって開始する。
　【００７７】ここで正常動作状態にあるならば、待機時間Ｔ２内に球貸処理信号の「Ｈ」から「Ｌ」への変化をカードユニット制御装置１０が検出して球貸要求信号を「Ｌ」から「Ｈ」に変化させ、その変化をパチンコ機制御装置１１は検出するが、この球貸要求信号の「Ｌ」から「Ｈ」への変化を、待機時間Ｔ２内にパチンコ機制御装置１１が検出しない場合、パチンコ機制御装置１１は、カードユニット５側のいずれかの箇所が異常状態「エラー２」にあると判定する（図５・２ーア参照）。
　【００７８】そしてパチンコ機制御装置１１は、カードユニット５側の異常状態が表されたパチンコ機レディ信号をカードユニット制御装置１０に入力するとともに「エラー２」をパチンコ機エラーＬＥＤ１７に表示する（図５・２ーイ参照）。
　【００７９】カードユニット制御装置１０は、上記異常状態に相当するパチンコ機レディ信号を検出すると、その時点において、パチンコ機制御装置１１からパチンコ機レディ信号が「Ｈ」、球貸処理信号が「Ｈ」をそれぞれ出力していることを検出する。
　【００８０】そしてパチンコ機レディ信号の「Ｈ」および球貸処理信号の「Ｈ」が検出されると、カードユニット制御装置１０はカードユニットレディ信号を「Ｌ」から「Ｈ」に、球貸要求信号を「Ｌ」から「Ｈ」にそれぞれ変化させ、かつ、カード利用可ランプ１５を消灯し、残度数表示ＬＥＤ１４にエラー表示を行わせるとともに返却スイッチ９を有効化する（図５・２ーウ参照）。
　【００８１】そののちパチンコ機制御装置１１は、カードユニット５側の異常状態を表すパチンコ機レディ信号を出力後、一旦「Ｌ」に立ち下げてからパチンコ機レディ信号を１０秒間「Ｈ」状態に保持した時点で、カードユニット制御装置１０からカードユニットレディ信号が「Ｈ」、かつ、球貸要求信号が「Ｈ」を出力していることを検出すると、パチンコ機制御装置１１はパチンコ機レディ信号を「Ｈ」から「Ｌ」に変化させ、パチンコ機エラーＬＥＤ１７を消灯する。
　【００８２】ついでカードユニット制御装置１０はパチンコ機レディ信号の「Ｈ」から「Ｌ」への変化を検出すると、カード利用可ランプ１５を点灯するとともに残度数を残度数表示ＬＥＤ１４に表示し、無効であった貸出スイッチ８の操作がカードユニット制御装置１０により有効化される（図５・２ーエ参照、）。
　【００８３】つぎに異常状態の例・「エラー３」についてを以下に説明する。本実施例は、貸出スイッチ８の１回操作につき、球排出装置１２を複数回数（２５球×３回）払出処理させるための各球貸処理信号を、パチンコ機制御装置１１が「Ｌ」から「Ｈ」に変化させた時点から、予め定められた待機時間Ｔ４が経過する間にカードユニット制御装置１０が球貸要求信号を「Ｈ」から「Ｌ」に変化させない場合の処理に係るものである。
　【００８４】貸出スイッチ８が押下操作されると、まずカードユニット制御装置１０はカードユニットレディ信号を「Ｈ」から「Ｌ」に変化させると同時に、貸出スイッチ８および返却スイッチ９の操作がカードユニット制御装置１０により無効化される。そののちカードユニット制御装置１０は球貸要求信号を「Ｈ」から「Ｌ」に変化させる。
　【００８５】この球貸要求信号の「Ｈ」から「Ｌ」への変化が検出されると、パチンコ機制御装置１１は球貸処理信号を「Ｈ」から「Ｌ」に変化させる。
　【００８６】この球貸処理信号の「Ｈ」から「Ｌ」への変化がカードユニット制御装置１０によって検出されると、カードユニット制御装置１０は球貸要求信号を「Ｌ」から「Ｈ」に変化させると同時に、カード１の残度数を上記同様に更新するとともに、管理装置３に売上信号を入力する。
　【００８７】つづいてパチンコ機制御装置１１は球貸要求信号の「Ｌ」から「Ｈ」への変化を検出すると、球排出装置１２を動作させることによって第１回目または第２回目の球貸処理を開始する。
　【００８８】ついで第１回目または第２回目の球貸処理が終了すると、パチンコ機制御装置１１は、球貸処理信号を「Ｌ」から「Ｈ」に変化させると同時に、待機時間Ｔ４の計測を上記待機タイマによって開始する。
　【００８９】ここで正常動作状態にあるならば、待機時間Ｔ４内に球貸要求信号の「Ｈ」から「Ｌ」への変化をパチンコ機制御装置１１は検出するが、待機時間Ｔ４内において球貸要求信号の「Ｈ」から「Ｌ」への変化をパチンコ機制御装置１１が検出しない場合、パチンコ機制御装置１１は、カードユニット５側のいずれかの箇所が異常状態「エラー３」にあると判定する（図６・３ーア参照）。
　【００９０】そしてパチンコ機制御装置１１は、カードユニット５側の異常状態が表されたパチンコ機レディ信号をカードユニット制御装置１０に入力するとともに「エラー３」をパチンコ機エラーＬＥＤ１７に表示する（図６・３ーイ参照）。
　【００９１】カードユニット制御装置１０は、上記異常状態に相当するパチンコ機レディ信号を検出すると、カードユニットレディ信号を「Ｌ」から「Ｈ」に変化させ、かつ、カード利用可ランプ１５を消灯するとともに残度数表示ＬＥＤ１４にエラー表示を行わせ、同時に返却スイッチ９の操作がカードユニット制御装置１０により有効化される（図６・３ーウ参照）。
　【００９２】そののちパチンコ機制御装置１１は、カードユニット５側の異常状態を表すパチンコ機レディ信号をカードユニット制御装置１０に入力後、パチンコ機レディ信号を「Ｈ」状態に保持して１０秒間が経過した時点において、カードユニット制御装置１０からカードユニットレディ信号が「Ｈ」、かつ、球貸要求信号が「Ｈ」を出力していることを検出する。
　【００９３】この検出に基いてパチンコ機制御装置１１はパチンコ機エラーＬＥＤ１７を消灯させるとともにパチンコ機レディ信号を「Ｈ」から「Ｌ」に変化させ、パチンコ機レディ信号の「Ｈ」から「Ｌ」への変化がカードユニット制御装置１０によって検出されると、カードユニット制御装置１０はカード利用可ランプ１５を点灯し、残度数表示ＬＥＤ１４のエラー表示を残度数表示ＬＥＤ１４にするとともに無効であった貸出スイッチ８を有効化する（図６・３ーエ参照）。
　【００９４】つぎに異常状態の例・「エラー４」についてを以下に説明する。本実施例は、貸出スイッチ８の１回操作につき、球排出装置１２を複数回数だけ払出処理させる最終回において、パチンコ機制御装置１１が球貸処理信号を「Ｌ」から「Ｈ」に変化させた時点から、予め定められた待機時間ＴＥが経過するまでの間に、カードユニット制御装置１０がカードユニットレディ信号を「Ｌ」から「Ｈ」に変化させない場合の処理に係るものである。
　【００９５】貸出スイッチ８が押下操作されると、まずカードユニット制御装置１０はカードユニットレディ信号を「Ｈ」から「Ｌ」に変化させると同時に、貸出スイッチ８および返却スイッチ９を無効化する。
　【００９６】そののちカードユニット制御装置１０は球貸要求信号を「Ｈ」から「Ｌ」に変化させ、この「Ｈ」から「Ｌ」への変化がパチンコ機制御装置１１によって検出されると、パチンコ機制御装置１１は球貸処理信号を「Ｈ」から「Ｌ」に変化させる。
　【００９７】そしてカードユニット制御装置１０は球貸処理信号の「Ｈ」から「Ｌ」への変化を検出すると、球貸要求信号を「Ｌ」から「Ｈ」に変化させ、カード１の残度数を上記同様に更新するとともに管理装置３に売上信号を入力する。
　【００９８】ついでパチンコ機制御装置１１は、球貸要求信号の「Ｌ」から「Ｈ」への変化を検出すると、球排出装置１２を動作させることによって球貸処理を開始し、その球貸処理の最終回が終了すると、球貸処理信号と「Ｌ」から「Ｈ」に変化させ、パチンコ機制御装置１１は待機時間ＴＥの計測を上記待機タイマによって開始する。
　【００９９】正常動作状態にあるならば待機時間ＴＥ内にカードユニットレディ信号の「Ｌ」から「Ｈ」への変化をパチンコ機制御装置１１は検出するが、待機時間ＴＥ内においてパチンコ機制御装置１１がカードユニットレディ信号の「Ｌ」から「Ｈ」への変化を検出しない場合、パチンコ機制御装置１１は、カードユニット５側のいずれかの箇所が異常状態「エラー４」にあると判定する（図７・４ーア参照）。
　【０１００】つづいてパチンコ機制御装置１１はカードユニット５側の異常状態が表されたパチンコ機レディ信号をカードユニット制御装置１０に入力するとともに「エラー４」をパチンコ機エラーＬＥＤ１７に表示する（図７・４ーイ参照）。
　【０１０１】この異常状態に相当するパチンコ機レディ信号がカードユニット制御装置１０によって検出されると、カードユニット制御装置１０は、カードユニットレディ信号を「Ｌ」から「Ｈ」に変化させ、かつ、カード利用可ランプ１５を消灯するとともに残度数表示ＬＥＤ１４にエラー表示を行わせ、同時に返却スイッチ９を有効化する（図７・４ーウ参照）。
　【０１０２】そののちパチンコ機制御装置１１は、カードユニット５側の異常状態をパチンコ機レディ信号の「Ｈ」状態を１０秒間保持することによって表し、１０秒間が経過した時点においてカードユニットレディ信号の「Ｈ」状態を検出すると、パチンコ機レディ信号を「Ｈ」から「Ｌ」に変化させ、同時にパチンコ機エラーＬＥＤ１７を消灯する。
　【０１０３】このパチンコ機レディ信号の「Ｈ」から「Ｌ」への変化がカードユニット制御装置１０によって検出されると、カードユニット制御装置１０はカード利用可ランプ１５を点灯し、残度数表示ＬＥＤ１４のエラー表示を残度数表示にし、無効であった貸出スイッチ８を有効化する（図７・４ーエ参照）。
　【０１０４】つぎに異常状態の例・「エラー５」についてを以下に説明する。本実施例は、カード１の装着後、パチンコ機制御装置１１がパチンコ機レディ信号を「Ｌ」から「Ｈ」に変化させた場合の処理に係るものである。
　【０１０５】電源投入直後（図８・５ーア，５ーイ参照）、カードユニット５にカード１が装着されると、書込部４に書き込まれた残度数がカードユニット制御装置１０によって残度数表示ＬＥＤ１４に表示される。これと同時にカードユニット制御装置１０は貸出スイッチ８、返却スイッチ９を有効化し、かつ、貸出スイッチＬＥＤ１３を点灯する（図８・５ーエ参照）。
　【０１０６】ついでパチンコ機２に異常が発生するとパチンコ機レディ信号はパチンコ機制御装置１１によって「Ｌ」から「Ｈ」に変化され（図８・５ーオ参照）、この変化をカードユニット制御装置１０が検出すると、カードユニット制御装置１０は、パチンコ機制御ユニット６側が異常状態にあると判定する。つづいて貸出スイッチ８および返却スイッチ９の操作がカードユニット制御装置１０により無効化されるとともに貸出スイッチＬＥＤ１３が消灯される。
　【０１０７】やがてパチンコ機制御ユニット６側の異常状態「エラー５」状態が所定の処置によって解除され、パチンコ機レディ信号が「Ｈ」から「Ｌ」に変化したことをカードユニット制御装置１０によって検出すると、カードユニット制御装置１０は貸出スイッチ８および返却スイッチ９を有効化すると同時に貸出スイッチＬＥＤ１３を点灯させる（図８・５ーカ参照）。
　【０１０８】つぎに異常状態の例・「エラー６」についてを以下に説明する。本実施例は、カードユニット制御装置１０が球貸要求信号を「Ｈ」から「Ｌ」に変化させてから、予め定められた待機時間Ｔ１が経過するまでに、パチンコ機制御装置１１が球貸処理信号を「Ｈ」から「Ｌ」に変化させない場合の処理に係るものである。
　【０１０９】貸出スイッチ８が押下操作されると、カードユニット制御装置１０はカードユニットレディ信号を「Ｈ」から「Ｌ」に変化させ、かつ、貸出スイッチ８および返却スイッチ９を無効化すると同時に、貸出スイッチＬＥＤ１３を消灯させる。
　【０１１０】そののちカードユニット制御装置１０が球貸要求信号を「Ｈ」から「Ｌ」に変化させると同時に、上記待機タイマによって待機時間Ｔ１の計測が開始される（図９・６ーア参照）。
　【０１１１】ここで正常動作状態にあるならば、カードユニット制御装置１０は、待機時間Ｔ１が経過する以前に内に球貸処理信号の「Ｈ」から「Ｌ」への変化を検出するが、球貸処理信号の「Ｈ」から「Ｌ」への変化がカードユニット制御装置１０によって待機時間Ｔ１内に検出されない場合、カードユニット制御装置１０は、パチンコ機制御ユニット６側のいずれかの箇所が異常状態にあると判定する（図９・６ーイ参照）。
　【０１１２】つづいてカードユニット制御装置１０は、カードユニットレディ信号を「Ｌ」から「Ｈ」に変化させたのち（図９・６ーウ参照）、球貸要求信号を「Ｌ」から「Ｈ」に変化させ、同時に貸出スイッチ８および返却スイッチ９を有効化するとともに貸出スイッチＬＥＤ１３を点灯させ、復帰する（図９・６ーエ参照）。
　【０１１３】つぎに異常状態の例・「エラー７」についてを以下に説明する。本実施例は、カードユニット制御装置１０が球貸要求信号を「Ｌ」から「Ｈ」に変化させてから、待機時間Ｔ３が経過する間に、パチンコ機制御装置１１が球貸処理信号を「Ｌ」から「Ｈ」に変化させない場合の処理に係るものである。
　【０１１４】貸出スイッチ８が押下操作されると、カードユニット制御装置１０はカードユニットレディ信号を「Ｈ」から「Ｌ」に変化させると同時に、貸出スイッチ８および返却スイッチ９を無効化したのち、球貸要求信号を「Ｈ」から「Ｌ」に変化させる。
　【０１１５】つづいてパチンコ機制御装置１１は、カードユニット制御装置１０による球貸要求信号の「Ｈ」から「Ｌ」への変化を検出すると、球貸処理信号を「Ｈ」から「Ｌ」に変化させる。そしてカードユニット制御装置１０は、この球貸処理信号の「Ｈ」から「Ｌ」への変化を検出すると、球貸要求信号を「Ｌ」から「Ｈ」に変化させると同時に、待機時間Ｔ３の計測を上記待機タイマによって開始する（図１０・７ーア参照）。
　【０１１６】ここで正常動作状態にあるならば、上記待機時間Ｔ３の間にパチンコ機制御装置１１による球貸処理が終了して、球貸処理信号の「Ｌ」から「Ｈ」への変化がカードユニット制御装置１０によって検出されるが、そうでない場合には、パチンコ機制御ユニット６側の異常状態「エラー７」がカードユニット制御装置１０により判定される。
　【０１１７】この異常状態「エラー７」の判定に基いて、カードユニット制御装置１０は、カード利用可ランプ１５を消灯すると同時に、残度数表示ＬＥＤ１４に「エラー７」を表示し、かつ、返却スイッチ９を有効化する（図１０・７ーイ参照）。
　【０１１８】そののちカードユニット制御装置１０はカードユニットレディ信号を「Ｌ」から「Ｈ」に変化させ（図１０・７ーウ参照）、パチンコ機制御ユニット６側の異常状態「エラー７」状態を解除したのち、パチンコ機制御装置１１は球貸処理信号を「Ｌ」から「Ｈ」に変化させる。
　【０１１９】つづいて上記球貸処理信号の「Ｌ」から「Ｈ」への変化がカードユニット制御装置１０によって検出されると、カードユニット制御装置１０はカード利用可ランプ１５を点灯し、かつ、残度数表示ＬＥＤ１４の「エラー７」表示を残度数表示に切換えるとともに貸出スイッチ８を有効化したのちに貸出スイッチＬＥＤ１３を点灯する（図１０・７ーエ参照）。
　【０１２０】つぎに異常状態の例・「エラー８」についてを以下に説明する。本実施例は、カードユニット制御装置１０が球貸要求信号を「Ｌ」から「Ｈ」に変化させる時点において球貸処理信号が「Ｈ」である場合の処理に係るものである。
　【０１２１】貸出スイッチ８が押下操作されると、カードユニット制御装置１０は、カードユニットレディ信号を「Ｈ」から「Ｌ」に変化させ、これと同時に貸出スイッチ８および返却スイッチ９を無効化し、かつ、貸出スイッチＬＥＤ１３を消灯する。
　【０１２２】そののちカードユニット制御装置１０は球貸要求信号を「Ｈ」から「Ｌ」に変化させると、パチンコ機制御装置１１は、この球貸要求信号の「Ｈ」から「Ｌ」への変化を検出し、球貸処理信号を「Ｈ」から「Ｌ」に変化させる（図１１・８ーア参照）。
　【０１２３】ここで正常動作状態にあるならば、上記球貸処理信号の「Ｈ」から「Ｌ」への変化がカードユニット制御装置１０によって検出されると、カードユニット制御装置１０は球貸要求信号を「Ｌ」から「Ｈ」に変化させ、この球貸要求信号の「Ｌ」から「Ｈ」への変化をパチンコ機制御装置１１が検出したのちに球貸処理を実行し、球貸処理が完了すると、パチンコ機制御装置１１は球貸処理信号を「Ｌ」から「Ｈ」に変化させる。
　【０１２４】しかしながらカードユニット５が球貸要求信号を「Ｌ」から「Ｈ」に変化させようとした時点で、球貸処理信号が「Ｈ」である場合、カードユニット制御装置１０は、パチンコ機制御ユニット６側のいずれかの箇所が異常状態「エラー８」にあると判定して、カードユニット制御装置１０はカード利用可ランプ１５を消灯し、かつ、残度数表示ＬＥＤ１４に「エラー８」を表示させる。
　【０１２５】つづいてカードユニット制御装置１０は、返却スイッチ９を有効化すると同時に、カードユニット制御装置１０に内蔵されたエラー表示継続タイマ（図示省略）によって１０秒間の計測を開始する（図１１・８ーイ参照）。
　【０１２６】そしてカードユニット制御装置１０はカードユニットレディ信号を「Ｌ」から「Ｈ」に変化させたのち、上記エラー表示継続タイマのタイムアップすなわち１０秒間が経過するのを待ち、このエラー表示継続タイマがタイムアップすなわち１０秒間経過するまで、残度数表示ＬＥＤ１４による異常状態「エラー８」の上記表示を継続させる。
　【０１２７】上記エラー表示継続タイマがタイムアップすると、カードユニット制御装置１０はカード利用可ランプ１５を点灯すると同時に、残度数表示ＬＥＤ１４に残度数を表示し、かつ、貸出スイッチ８を有効化したのちに貸出スイッチＬＥＤ１３を点灯して自動復帰する。
　【０１２８】つぎに異常状態の例・「エラー９」についてを以下に説明する。本実施例は、上述した待機時間Ｔ３の計測開始以前にパチンコ機制御装置１１が球貸処理信号を「Ｌ」から「Ｈ」に変化させた場合の処理に係るものである。
　【０１２９】貸出スイッチ８が押下操作されると、カードユニット制御装置１０はカードユニットレディ信号を「Ｈ」から「Ｌ」に変化させ、これと同時に貸出スイッチ８および返却スイッチ９の操作を無効化するとともに貸出スイッチＬＥＤ１３を消灯する。
　【０１３０】そののちカードユニット制御装置１０は球貸要求信号を「Ｈ」から「Ｌ」に変化させ、この球貸要求信号の「Ｈ」から「Ｌ」への変化がパチンコ機制御装置１１によって検出されると、パチンコ機制御装置１１は球貸処理信号を「Ｈ」から「Ｌ」に変化させる。
　【０１３１】つづいてカードユニット制御装置１０が球貸処理信号の「Ｈ」から「Ｌ」への変化を検出すると、カードユニット制御装置１０は球貸要求信号を「Ｌ」から「Ｈ」に変化させるとともに残度数を上記同様に更新し、同時に管理装置３に売上信号を入力する。
　【０１３２】パチンコ機制御装置１１は上記球貸要求信号の「Ｌ」から「Ｈ」への変化の検出によって上記同様に球貸処理を開始し、この球貸処理が終了すると、球貸処理信号を「Ｌ」から「Ｈ」に変化させる。
　【０１３３】ここで正常動作状態にあるならば、球貸処理には球排出装置１２が貸出球を払出すための時間を要し、その時間を待機時間Ｔ３に定めて、球貸要求信号が「Ｌ」から「Ｈ」に変化した直後から所定時間経過した時点で、上記待機タイマによって待機時間Ｔ３の計測を開始するようにしている。
　【０１３４】この待機時間Ｔ３の計測開始前に、カードユニット制御装置１０がパチンコ機制御装置１１により球貸処理信号を「Ｌ」から「Ｈ」に変化させたことを検出すると、カードユニット制御装置１０は、パチンコ機制御ユニット６側の異常状態「エラー９」を判定する。
　【０１３５】そしてカードユニット制御装置１０は、カード利用可ランプ１５を消灯し、かつ、残度数表示ＬＥＤ１４に異常状態「エラー９」を表示するとともに、この異常状態「エラー９」の表示を継続させるために上記エラー表示継続タイマによって１０秒間の計測を開始すると同時に、返却スイッチ９の操作を有効化する（図１２・９ーイ参照）。
　【０１３６】そののちカードユニット制御装置１０はカードユニットレディ信号を「Ｌ」から「Ｈ」に変化させ（図１２・９ーウ参照）、上記エラー表示継続タイマのタイムアップを待つ。上記エラー表示継続タイマが１０秒間を計測すると、カードユニット制御装置１０は、カード利用可ランプ１５を点灯し、かつ、残度数表示ＬＥＤ１４に残度数を表示するとともに貸出スイッチ８の操作を有効化したのち貸出スイッチＬＥＤ１３を点灯して自動復帰する。
　【０１３７】つぎに異常状態の例・「エラー１０」についてを以下に説明する。本実施例は、電源の投入直後から予め定められた待機時間Ｔｓが経過する間に、パチンコ機制御装置１１が球貸処理信号を「Ｈ」で出力しない場合の処理に係るものである。
　【０１３８】電源投入直後（図１３・１０ーア，１０ーイ参照）、正常動作状態にあるならば、カードユニット制御装置１０は、カードユニットレディ信号および球貸要求信号をともに「Ｈ」で出力し、パチンコ機制御装置１１はパチンコ機レディ信号を「Ｌ」、そして球貸処理信号を「Ｈ」で出力する。
　【０１３９】ところが電源投入直後から待機時間Ｔｓが経過しても、パチンコ機制御装置１１が球貸処理信号を「Ｈ」で出力しない場合、カードユニット制御装置１０は、パチンコ機制御ユニット６側のいずれかの箇所が異常状態「エラー１０」にあることを判定する（図１３・１０ーウ参照）。そしてカードユニット制御装置１０は、残度数表示ＬＥＤ１４に「エラー１０」を表示する。
　【０１４０】やがてパチンコ機制御ユニット６側の異常状態「エラー１０」が解除されて、カードユニット制御装置１０によって球貸処理信号の「Ｌ」から「Ｈ」への変化が検出されると、カードユニット制御装置１０は、カード利用可ランプ１５を点灯し、かつ、残度数表示ＬＥＤ１４をカード１の装着待ち状態にある旨を表示する（図１３・１０ーエ参照）。
　【０１４１】つぎに異常状態の例・「エラー１１」についてを以下に説明する。本実施例は、電源投入直後から待機時間Ｔｓが経過する間に、パチンコ機レディ信号が「Ｌ」にならない場合の処理に係るものである。
　【０１４２】電源投入直後（図１４・１１ーア，１１ーイ参照）、正常動作状態にあるならば、カードユニット制御装置１０は、カードユニットレディ信号および球貸要求信号をともに「Ｈ」で出力し、パチンコ機制御装置１１はパチンコ機レディ信号を「Ｌ」、そして球貸処理信号を「Ｈ」で出力する。
　【０１４３】ところが電源投入直後から待機時間Ｔｓが経過してもパチンコ機レディ信号が「Ｌ」で出力されない場合、カードユニット制御装置１０は、パチンコ機制御ユニット６側のいずれかの箇所が異常状態「エラー１１」にあると判定し（図１４・１１ーウ参照）、残度数表示ＬＥＤ１４に「エラー１１」を表示する。
　【０１４４】やがてパチンコ機制御ユニット６側の異常状態「エラー１１」が解除され、パチンコ機制御装置１１からパチンコ機レディ信号が「Ｌ」で出力されたことをカードユニット制御装置１０によって検出すると、カードユニット制御装置１０は上記同様にカード利用可ランプ１５を点灯し、同時に残度数表示ＬＥＤ１４をカード装着待ち表示に切り換える（図１４・１１ーエ参照）。
　【０１４５】つぎに異常状態の例・「エラー１２」についてを以下に説明する。本実施例は、電源投入直後から待機時間Ｔｓが経過する間に、パチンコ機制御装置１１が、球貸処理信号を「Ｈ」で出力せず、かつ、パチンコ機レディ信号を「Ｌ」で出力しない場合の処理に係るものである。
　【０１４６】電源の投入直後に正常動作状態にあるならば、カードユニット制御装置１０は、カードユニットレディ信号および球貸要求信号をともに「Ｈ」で出力し、パチンコ機制御装置１１はパチンコ機レディ信号を「Ｌ」、そして球貸処理信号を「Ｈ」で出力する。
　【０１４７】ところが電源投入直後（図１５・１２ーア，１２ーイ参照）から待機時間Ｔｓが経過しても（図１５・１２ーウ参照）、パチンコ機制御装置１１が、球貸処理信号を「Ｈ」で出力せず、かつ、パチンコ機レディ信号を「Ｌ」で出力しない場合、カードユニット制御装置１０はパチンコ機制御ユニット６側のいずれかの箇所が異常状態「エラー１２」にあることを判定して（図１５・１２ーウ参照）、残度数表示ＬＥＤ１４に「エラー１２」を表示する。
　【０１４８】やがてパチンコ機制御ユニット６側の異常状態「エラー１２」が解除され、パチンコ機制御装置１１から球貸処理信号が「Ｈ」で出力され、かつ、パチンコ機レディ信号が「Ｌ」になったことがカードユニット制御装置１０によって検出されると、カード利用可ランプ１５が点灯し、残度数表示ＬＥＤ１４はカード装着待ち表示を行う（図１５・１２ーエ参照）。
　【０１４９】つぎに異常状態の例・「エラー１３」についてを以下に説明する。本実施例は、カードユニット制御装置１０がカードユニットレディ信号を「Ｌ」で出力している状態において、パチンコ機制御装置１１がパチンコ機レディ信号を「Ｌ」から「Ｈ」に変化させた場合の処理に係るものである。
　【０１５０】カードユニットレディ信号が「Ｌ」の状態において、パチンコ機制御装置１１がパチンコ機レディ信号を「Ｌ」から「Ｈ」に変化させたことをカードユニット制御装置１０によって検出すると（図１６・１３ーウ参照）、カードユニット制御装置１０は、パチンコ機制御ユニット６側のいずれかの箇所が異常状態「エラー１３」にある判定する。
　【０１５１】そしてカードユニット制御装置１０はカードユニットレディ信号を「Ｌ」から「Ｈ」に変化させ、かつ、カード利用可ランプ１５を消灯するとともに残度数表示ＬＥＤ１４に「エラー１３」を表示したのち、返却スイッチ９の操作を有効化する（図１６・１３ーウ参照）。
　【０１５２】やがて異常状態「エラー１３」が解除され、パチンコ機レディ信号の「Ｌ」状態および球貸処理信号の「Ｈ」状態がカードユニット制御装置１０によって検出されると、カードユニット制御装置１０はカード利用可ランプ１５を点灯し、残度数表示ＬＥＤ１４に残度数を表示し、貸出スイッチ８を有効化して貸出スイッチＬＥＤ１３を点灯する（図１６・１３ーエ参照）。
　【０１５３】つぎに異常状態の例・「エラー１４」についてを以下に説明する。本実施例はカードユニット制御装置１０がカードユニットレディ信号と球貸要求信号を「Ｈ」で出力している状態において、パチンコ機制御装置１１が球貸処理信号を「Ｈ」から「Ｌ」に、または「Ｌ」から「Ｈ」に変化させた場合の処理に係るものである。
　【０１５４】球貸処理信号が「Ｈ」の状態において、パチンコ機制御装置１１が球貸処理信号を「Ｈ」から「Ｌ」に、または「Ｌ」から「Ｈ」に変化させたことをカードユニット制御装置１０によって検出すると、カードユニット制御装置１０は、カード利用可ランプ１５を消灯し、かつ、残度数表示ＬＥＤ１４に「エラー１４」を表示する。
　【０１５５】これと同時にカードユニット制御装置１０が貸出スイッチ８および返却スイッチ９の操作を無効化し、かつ、貸出スイッチＬＥＤ１３を消灯する（カード装着中…図１７・１４ーア参照）。この状態からは外部リセットスイッチ（図示省略）を操作することにより復帰する。
　【０１５６】
　【発明の効果】本発明は以上説明したように、パチンコ機はカードユニットおよびパチンコ機制御ユニットによって複数の制御回路によって制御され、カードユニットがカード処理要求信号に基いてパチンコ機制御
　【０１５７】これにより異常発生時における上記各スイッチの無効化および有効化および装着されているカードの返却処理などの綿密なエラー処理を容易、かつ、迅速に実行することができるので、異常状態の発生に起因した遊技中断を招くことが減少し、遊技中断に付随する遊技意欲の減退を抑止することができる。更に、カードユニットとパチンコ機制御ユニットとが別体に構成されているので、パチンコ機の単位貸出球数を変更する必要が生じた場合にも、パチンコ機制御ユニットのみを交換することにより変更が可能である。
【図面の簡単な説明】
　【図１】本発明の一実施例の構成を表わしたブロック図である。
　【図２】図１に示したカードユニットおよびパチンコ機制御ユニットの制御に係る信号のタイミングを表す図である。
　【図３】図２と異る例を示した図である。
　【図４】図３と異る例を示した図である。
　【図５】図４と異る例を示した図である。
　【図６】図５と異る例を示した図である。
　【図７】図６と異る例を示した図である。
　【図８】図７と異る例を示した図である。
　【図９】図８と異る例を示した図である。
　【図１０】図９と異る例を示した図である。
　【図１１】図１０と異る例を示した図である。
　【図１２】図１１と異る例を示した図である。
　【図１３】図１２と異る例を示した図である。
　【図１４】図１３と異る例を示した図である。
　【図１５】図１４と異る例を示した図である。
　【図１６】図１５と異る例を示した図である。
　【図１７】図１６と異る例を示した図である。
　【符号の説明】
１　カード
２　パチンコ機
３　管理装置
４　書込部
５　カードユニット
６　パチンコ機制御ユニット
７　カードリードライタ
８　貸出スイッチ
９　返却スイッチ
１０　カードユニット制御装置
１１　パチンコ機制御装置